(57)【特許請求の範囲】
【請求項１】
基地局との無線通信を行う無線通信部と、
所定のクロック信号で規定される動作周波数でスイッチング動作し、外部電源から電源ラインを介して供給される電力を内部電源用の直流電力に変換するＤＣ／ＤＣコンバータと、
前記無線通信部における通信動作に用いられ、所定の分周比で分周した場合に所定の周波数となる動作クロック信号を発生する高精度発振器と、
該高精度発振器よりも精度が低く、且つ前記所定の周波数近傍の第１クロック信号を発生する低精度発振器と、
前記動作クロック信号を前記所定の分周比で分周して第２クロック信号を生成する分周器と、
前記無線通信部での前記無線通信に応じて前記ＤＣ／ＤＣコンバータに供給するクロック信号を制御する制御部と、
を有し、
該制御部は、
前記基地局から送信される報知信号を受信するときには前記第２クロック信号を前記ＤＣ／ＤＣコンバータに供給し、
前記報知信号の受信を休止するときには前記第１クロック信号を前記ＤＣ／ＤＣコンバータへ供給する
ことを特徴とする無線通信装置。
【請求項２】
前記制御部は、前記報知信号の受信を休止するとき、前記高精度発振器の発振動作を停止させることを特徴とする請求項１記載の無線通信装置。
【請求項３】
前記制御部は、前記報知信号の受信を休止するとき、スリープ状態に移行することを特徴とする請求項１または２記載の無線通信装置。
【請求項４】
前記低精度発振器はＲＣ発振器であり、前記高精度発振器はＴＣＸＯ（温度補償型水晶発振器：Temperature Compensated Crystal Oscillator）であることを特徴とする請求項１〜３のいずれか一項に記載の無線通信装置。
【請求項５】
所定のクロック信号で規定される動作周波数でスイッチング動作し、外部から供給される電力を内部電源用の直流電力に変換するＤＣ／ＤＣコンバータと、基地局との無線通信を行う無線通信部とを備えた無線通信装置における前記ＤＣ／ＤＣコンバータの動作周波数制御方法であって、
前記無線通信部における通信動作に用いられ、所定の分周比で分周した場合に所定の周波数となる動作クロック信号を高い周波数精度にて発生する第１ステップと、
前記第１ステップよりも低い周波数精度で前記所定の周波数近傍の第１クロック信号を発生する第２ステップと、
前記第１ステップにて発生された動作クロック信号を所定の分周比で分周して第２クロック信号を生成する第３ステップと、
前記ＤＣ／ＤＣコンバータに供給するクロック信号を、前記基地局から送信される報知信号を、前記無線通信部が受信するときには前記第２クロック信号に、前記報知信号の受信を休止するときには前記第１クロック信号に、それぞれ切り替えるように制御する第４ステップと、
を有することを特徴とするＤＣ／ＤＣコンバータの動作周波数制御方法。
【発明の詳細な説明】
【技術分野】
【０００１】
本発明は、無線通信装置及び電力変換器の動作周波数制御方法に関する。
【背景技術】
【０００２】
近年、無線通信機能を有する通信モジュール（無線通信装置）を様々な機器に組み込み、通信モジュールを介して上記機器に関する情報を取得し、機器の遠隔監視や情報の管理を行う通信システムが注目されている（例えば、自動販売機の商品在庫情報やつり銭情報の管理、産業機械の稼動状況の遠隔監視等）。
【０００３】
上記のような通信モジュールの中には、外部電源から電源供給を受けて動作するものがある。このような通信モジュールにはＤＣ／ＤＣコンバータ（電力変換器）が内蔵され、外部電源から供給された電源電圧は、上記ＤＣ／ＤＣコンバータによって電圧変換された後、通信モジュール内部の各素子に供給される。この時、ＤＣ／ＤＣコンバータの動作周波数に依存して外部電源とＤＣ／ＤＣコンバータとの間の電源ラインに伝導ノイズが発生する。このため、外部電源が通信モジュールだけでなく、他の電子機器にも電源供給を行っているような場合や、外部電源からの電源ラインが他の電子機器の近くを経由するような構成になっている場合、他の電子機器にとって悪影響を及ぼすような周波数帯域にＤＣ／ＤＣコンバータの動作周波数が一致すると、電源ラインに生じる伝導ノイズによって他の電子機器に悪影響を及ぼす可能性がある。このため、通信モジュールに伝導ノイズを防ぐためのフィルタ等の付加回路を設ける必要があった。
【０００４】
例えば、特開２００２−５１００５号公報には、テレビ（ケーブルテレビも含む）を中継しつつも、緊急時に無線通信を行える中継器の構成が開示されている。このように、無線通信を行う送受信機が、他の放送などを取り扱う機器と近接配線される構成は世間一般にて増加しつつある。このような機器においては、上述したように無線通信に対する周波数帯の考慮だけではなく、放送などを取り扱う手段に対する配慮も必要とされる。無論、放送受信以外であっても非常に精密な測定を行う機器など、特定の周波数帯に対して弱い機器が近接に配置される場合には、少なくとも当該特定周波数の放射を無線通信装置は抑える必要がある。無線通信装置自体からの放射はシールドケース等により抑えることができても、電源ラインなどの輻射ノイズに関しては別途考慮する必要がある。
【特許文献１】特開２００２−５１００５号公報
【発明の開示】
【発明が解決しようとする課題】
【０００５】
しかしながら、上記のように通信モジュールにフィルタ等の付加回路を設ける場合、通信モジュールのコストの増加を招くと共に、回路基板面積の増加（つまり通信モジュールの大型化）を招くという問題が生じる。近年、通信モジュールの小型化やコスト削減が強く要求されており、このような観点からコストの増加や通信モジュールの大型化を招くことなく、伝導ノイズによる他の電子機器への悪影響を低減することが大きな課題となっていた。
【０００６】
本発明は、上述した事情に鑑みてなされたものであり、無線通信装置のコスト増加や大型化を招くことなく、無線通信装置から発生する伝導ノイズによる他の電子機器への悪影響を低減することを目的とする。
【課題を解決するための手段】
【０００７】
上記目的を達成するために、本発明は、以下の手段を採用する。
本発明に係る無線通信装置は、基地局との無線通信を行う無線通信部と、所定のクロック信号で規定される動作周波数でスイッチング動作し、外部電源から電源ラインを介して供給される電力を内部電源用の直流電力に変換するＤＣ／ＤＣコンバータと、前記無線通信部における通信動作に用いられ、所定の分周比で分周した場合に所定の周波数となる動作クロック信号を発生する高精度発振器と、該高精度発振器よりも精度が低く、且つ前記所定の周波数近傍の第１クロック信号を発生する低精度発振器と、前記動作クロック信号を前記所定の分周比で分周して第２クロック信号を生成する分周器と、前記無線通信部での前記無線通信に応じて前記ＤＣ／ＤＣコンバータに供給するクロック信号を制御する制御部と、を有し、該制御部は、前記基地局から送信される報知信号を受信するときには前記第２クロック信号を前記ＤＣ／ＤＣコンバータに供給し、前記報知信号の受信を休止するときには前記第１クロック信号を前記ＤＣ／ＤＣコンバータへ供給することを特徴とする。
【０００８】
また、本発明は、前記制御部は、前記報知信号の受信を休止するとき、前記高精度発振器の発振動作を停止させることを特徴とする。
【０００９】
また、本発明では、前記制御部は、報知信号の受信を休止するときにおいてスリープ状態に移行することを特徴とする。
【００１０】
また、本発明では、前記低精度発振器はＲＣ発振器であり、前記高精度発振器はＴＣＸＯ（温度補償型水晶発振器：Temperature Compensated Crystal Oscillator）であることを特徴とする。
【００１１】
本発明に係る動作周波数制御方法は、所定のクロック信号で規定される動作周波数でスイッチング動作し、外部から供給される電力を内部電源用の直流電力に変換するＤＣ／ＤＣコンバータと、基地局との無線通信を行う無線通信部とを備えた無線通信装置における前記ＤＣ／ＤＣコンバータの動作周波数制御方法であって、前記無線通信部における通信動作に用いられ、所定の分周比で分周した場合に所定の周波数となる動作クロック信号を高い周波数精度にて発生する第１ステップと、前記第１ステップよりも低い周波数精度で前記所定の周波数近傍の第１クロック信号を発生する第２ステップと、前記第１ステップにて発生された動作クロック信号を所定の分周比で分周して第２クロック信号を生成する第３ステップと、前記ＤＣ／ＤＣコンバータに供給するクロック信号を、前記基地局から送信される報知信号を、前記無線通信部が受信するときには前記第２クロック信号に、前記報知信号の受信を休止するときには前記第１クロック信号に、それぞれ切り替えるように制御する第４ステップと、を有することを特徴とする。
【発明の効果】
【００１２】
本発明によれば、無線通信装置のコスト増加や大型化を招くことなく消費電力を抑えることができ、尚且つ無線通信装置から発生するノイズによる他の電子機器への悪影響を低減することが可能である。
【発明を実施するための最良の形態】
【００１３】
以下、図面を参照して、本発明の一実施形態について説明する。図１は、本発明の実施形態に係る無線通信装置の構成ブロック図である。この図に示すように、本無線通信装置Ｍは、電源ＩＣ１、ＴＣＸＯ（高精度発振器）２、タイマクロック発振器３、制御ＩＣ（制御部）４、メモリ５、ＲＦ無線通信部６及びアンテナ７から構成されている。なお、本無線通信装置Ｍは、外部電源Ｐから直流電源の供給を受け、図示しない無線通信基地局と無線通信を行うものである。また、外部電源Ｐは、本無線通信装置Ｍだけでなく、図示しない他の電子機器にも電源供給を行うものである。
【００１４】
電源ＩＣ１は、その構成要素として、ＲＣ発振器（低精度発振器）１ａ、分周器１ｂ、クロック信号切替部１ｃ、ＤＣ／ＤＣコンバータ（電力変換器）１ｄ、第１バッファ１ｅ及び第２バッファ１ｆを備えている。ＲＣ発振器１ａは、ＤＣ／ＤＣコンバータ１ｄのスイッチング動作用の第１クロック信号を生成してクロック信号切替部１ｃに出力する。なお、このＲＣ発振器１ａは、周波数精度がＴＣＸＯ２と比べて低いが低消費電力であることを特徴とする発振器である。分周器１ｂは、ＴＣＸＯ２から入力される動作クロック信号を所定の分周比で分周して、ＤＣ／ＤＣコンバータ１ｄのスイッチング動作用の第２クロック信号を生成し、クロック信号切替部１ｃに出力する。
【００１５】
クロック信号切替部１ｃは、制御ＩＣ４の制御の下、ＲＣ発振器１ａから入力される第１クロック信号と、分周器１ｂから入力される第２クロック信号とを選択的に切り替えてＤＣ／ＤＣコンバータ１ｄに出力する。なお、このクロック信号切替部１ｃは、外部電源Ｐによる直流電源の供給開始時においては、第１クロック信号をＤＣ／ＤＣコンバータ１ｄに出力する。ＤＣ／ＤＣコンバータ１ｄは、クロック信号切替部１ｃから入力される第１クロック信号または第２クロック信号に基づいて、すなわち第１クロック信号または第２クロック信号の周波数を動作周波数としてスイッチング動作を行い、外部電源Ｐから供給された直流電源電圧を、無線通信装置Ｍ内の各部（ＴＣＸＯ２、タイマクロック発振器３、制御ＩＣ４、ＲＦ無線通信部６）に供給すべき直流電圧値に変換し、上記各部に供給する。なお、このＤＣ／ＤＣコンバータ１ｄは、制御ＩＣ４の要求に応じてＴＣＸＯ２及びＲＦ無線通信部６に直流電圧を供給する。
【００１６】
第１バッファ１ｅは、制御ＩＣ４の制御の下、ＴＣＸＯ２から入力される動作クロック信号のバッファリングを行うと共に動作クロック信号を制御ＩＣ４に出力する。第２バッファ１ｆは、制御ＩＣ４の制御の下、タイマクロック発振器３から入力されるタイマクロック信号のバッファリングを行うと共にタイマクロック信号を制御ＩＣ４に出力する。
【００１７】
ＴＣＸＯ２は、温度補償型水晶発振器（Temperature Compensated Crystal Oscillator）であり、制御ＩＣ４及びＲＦ無線通信部６の動作に用いられ、所定の分周比で分周した場合に、他の電子機器（外部）に対して悪影響（外乱）を与えないような周波数となる動作クロック信号を生成し、電源ＩＣ１の分周器１ｂ、第１バッファ１ｅ及びＲＦ無線通信部６に出力する。なお、このＴＣＸＯ２は、ＲＣ発振器１ａと比べると周波数精度が高いが高消費電力であることを特徴とする発振器である。タイマクロック発振器３は、タイマカウント用クロック信号であるタイマクロック信号（周波数：３２ｋＨｚ）を電源ＩＣ１の第２バッファ１ｆに出力する。
【００１８】
制御ＩＣ４は、メモリ５に予め記憶された所定の制御プログラムに基づいて、本無線通信装置Ｍの全体動作を制御するものである。なお、制御ＩＣ４は、上記制御プログラムに基づく特徴的な制御処理として、ＲＦ無線通信部６による無線通信基地局から送信される報知信号の間欠受信動作を制御すると共に、報知信号の受信時と受信休止時とに応じて、第１クロック信号と第２クロック信号とを選択的に切り替えてＤＣ／ＤＣコンバータ１ｄに出力するようにクロック信号切替部１ｃを制御する。具体的には、報知信号の受信時の場合、制御ＩＣ４は、第２クロック信号をＤＣ／ＤＣコンバータ１ｄに出力するようにクロック信号切替部１ｃを制御し、また、報知信号の受信休止時の場合、第１クロック信号をＤＣ／ＤＣコンバータ１ｄに出力するようにクロック信号切替部１ｃを制御する。また、制御ＩＣ４は、報知信号の受信時には、ＴＣＸＯ２への直流電源電圧供給を行うようにＤＣ／ＤＣコンバータ１ｄを制御し、受信休止時には、ＴＣＸＯ２への電源電圧供給を停止するようにＤＣ／ＤＣコンバータ１ｄを制御する。このような制御ＩＣ４の制御処理の詳細については後述する。
【００１９】
メモリ５は、上記制御ＩＣ４で実行される制御プログラムや、その他の不揮発性のデータを記憶すると共に、制御ＩＣ４の制御処理のためのワーキングエリアとしても用いられる。ＲＦ無線通信部６は、制御ＩＣ４の制御の下、アンテナ７によって受信した報知信号等の各受信信号の周波数変換及び復調を行い、当該復調後の各受信信号を制御ＩＣ４に出力する。また、このＲＦ無線通信部６は、制御ＩＣ４から入力される送信用の音声信号やデータ信号等を変調及び周波数変換し、送信信号としてアンテナ７を介して無線通信基地局に送信する。アンテナ７は、無線通信基地局から送信される報知信号等、信号の受信及び送信を行う。
【００２０】
ところで、上記ＲＣ発振器１ａは、周波数精度がＴＣＸＯ２と比べると低いので、発生する周波数がゆらぐため、ある程度の幅が発生させる周波数に生じる。これを分周するなどにより生成された第１クロック信号は、他の電子機器に悪影響を及ぼす周波数帯域に含まれるような周波数を有することが生じうる。よって、ＤＣ／ＤＣコンバータ１ｄが、第１クロック信号によってスイッチング動作を行う場合、外部電源ＰとＤＣ／ＤＣコンバータ１ｄとの間の電源ラインに生じる伝導ノイズによって、他の電子機器に悪影響を及ぼしてしまう恐れがある。一方ＴＣＸＯ２は、周波数精度の高い発振器であるので、発生させる周波数のゆらぎが非常に小さく、動作クロック信号を分周器１ｂで分周することで、精度良く他の電子機器に悪影響を及ぼさないような設計意図どおりの周波数を有する第２クロック信号を生成できる。よって、ＤＣ／ＤＣコンバータ１ｄが、第２クロック信号によってスイッチング動作を行う場合、電源ラインに伝導ノイズは生じるが、該伝導ノイズによって他の電子機器は悪影響を受けない。上記を踏まえ、本無線通信装置Ｍの動作について、図２のフローチャートを用いて以下説明する。
【００２１】
まず、外部電源Ｐから直流電源が無線通信装置Ｍ（具体的には電源ＩＣ１）に供給されると、電源ＩＣ１のＲＣ発振器１ａは、発振動作を開始し、第１クロック信号を生成してクロック信号切替部１ｃに出力する（ステップＳ１）。外部電源Ｐからの電源供給開始時なので、クロック信号切替部１ｃは、第１クロック信号をＤＣ／ＤＣコンバータ１ｄに出力する（ステップＳ２）。ＤＣ／ＤＣコンバータ１ｄは、第１クロック信号が入力されると、当該第１クロック信号の周波数を動作周波数としてスイッチング動作を行い、外部電源Ｐから供給された直流電源電圧の電圧変換処理を行い、電圧変換後の直流電源電圧をタイマクロック発振器３及び制御ＩＣ４に供給する（ステップＳ３）。
【００２２】
タイマクロック発振器３は、電源電圧が供給されると発振動作を開始し、タイマクロック信号を生成して第２バッファ１ｆに出力する（ステップＳ４）。一方、制御ＩＣ４は、電源電圧が供給されると起動し、ＤＣ／ＤＣコンバータ１ｄに対してＴＣＸＯ２へ電源電圧供給を行うように要求すると共に、第２バッファ１ｆに対してタイマクロック信号を制御ＩＣ４に出力するように要求する（ステップＳ５）。ＴＣＸＯ２は、電源電圧が供給されると発振動作を開始し、動作クロック信号を生成して分周器１ｂ、第１バッファ１ｅ及びＲＦ無線通信部６に出力する（ステップＳ６）。ここで、分周器１ｂは、動作クロック信号を所定の分周比で分周して第２動作クロック信号を生成し、クロック信号切替部１ｃに出力する。また、第１バッファ１ｅは、制御ＩＣ４の制御の下、動作クロック信号を制御ＩＣ４に出力する。
【００２３】
そして、制御ＩＣ４は、第２クロック信号がＤＣ／ＤＣコンバータ１ｄに出力されるようにクロック信号切替部１ｃを制御する。すなわち、ＤＣ／ＤＣコンバータ１ｄの動作周波数は、第２クロック信号の周波数に切り替わる（ステップＳ７）。続いて、制御ＩＣ４は、ＤＣ／ＤＣコンバータ１ｄに対してＲＦ無線通信部６へ電源電圧供給を行うように要求し、これによりＲＦ無線通信部６は起動する（ステップＳ８）。ＲＦ無線通信部６は、制御ＩＣ４の制御の下、無線通信基地局との通信を開始し、通信網における無線通信装置Ｍの位置登録を行った後、制御ＩＣ４は待ち受け状態に移行する（ステップＳ９）。制御ＩＣ４は、待ち受け状態時において、特に受信すべき信号がない場合、電力消費を抑えるために以下のような報知信号の間欠受信動作を行う。
【００２４】
間欠受信動作が開始されると、制御ＩＣ４は、第１クロック信号がＤＣ／ＤＣコンバータ１ｄに出力されるようにクロック信号切替部１ｃを制御する。すなわち、ＤＣ／ＤＣコンバータ１ｄの動作周波数は、第１クロック信号の周波数に切り替わる（ステップＳ１０）。そして、制御ＩＣ４は、ＴＣＸＯ２への電源電圧供給を停止するようにＤＣ／ＤＣコンバータ１ｄを制御し、これによりＴＣＸＯ２の発振動作を停止させる（ステップＳ１１）。このように制御ＩＣ４は、ＴＣＸＯ２の発振動作を停止させると、スリープ状態に移行する（ステップＳ１２）。
【００２５】
このようなスリープ状態は、報知信号の受信休止期間継続される。報知信号の受信休止期間では、ＲＦ無線通信部６は通信動作を行わず、また制御ＩＣ４はスリープ状態に移行するため、ＴＣＸＯ２からＲＦ無線通信部６及び制御ＩＣ４に動作クロックを供給する必要はなく、ＴＣＸＯ２に発振動作を継続させると消費電力が増大するという問題が生じる。従って、上述したように、受信休止期間ではＴＣＸＯ２の発振動作を停止させ、ＤＣ／ＤＣコンバータ１ｄには、低消費電力を特徴とするＲＣ発振器１ａから第１クロック信号を供給することにより、無線通信装置Ｍ全体の消費電力を低減することができる。
【００２６】
ところで、伝導ノイズは、電源ＩＣ１により給電される電力量により、その伝導ノイズの量が変動する特徴がある。すなわち、電力量を多く必要とする制御ＩＣ４の動作中には伝導ノイズの周波数幅を抑えることができる第２クロック信号を用いているため、他の電子機器には悪影響を与えない。そして、ＤＣ／ＤＣコンバータ１ｄが第１クロック信号によってスイッチング動作することにより、電源ラインには他の電子機器に悪影響を与えるような伝導ノイズが発生しうるが、無線通信装置Ｍ全体の消費電力が少ないために、伝導ノイズ量も少なくなり、他の電子機器への悪影響を最小限に抑えることができる。
【００２７】
続いて、制御ＩＣ４は、スリープ状態中、タイマクロック信号を基に報知信号の受信休止期間が終了したか否かを判定し（ステップＳ１３）、受信休止期間が終了したと判定した場合（「ＹＥＳ」）、スリープ状態を解除する（ステップＳ１４）。なお、ステップＳ１３において、「ＮＯ」、つまり受信休止期間が終了していない場合、制御ＩＣ４はスリープ状態を維持する。そして、制御ＩＣ４は、ＴＣＸＯ２への電源電圧供給を再開するようにＤＣ／ＤＣコンバータ１ｄを制御し、ＴＣＸＯ２に発振動作を開始させ（ステップＳ１５）、第２クロック信号がＤＣ／ＤＣコンバータ１ｄに出力されるようにクロック信号切替部１ｃを制御する。すなわち、ＤＣ／ＤＣコンバータ１ｄの動作周波数は、第２クロック信号の周波数に切り替わる（ステップＳ１６）。このように、ＤＣ／ＤＣコンバータ１ｄの動作周波数を切り替えた後、制御ＩＣ４は、ＲＦ無線通信部６を制御し、無線通信基地局から送信される報知信号の受信処理を行わせる（ステップＳ１７）。
【００２８】
このように、報知信号の受信時においては、制御ＩＣ４及びＲＦ無線通信部６を動作させなければならないので、ＴＣＸＯ２からの動作クロック信号の供給が必要となる。ここで、ＤＣ／ＤＣコンバータ１ｄに第１クロック信号を供給し続けた場合、報知信号の受信時では無線通信装置Ｍ全体の消費電力が大きくなるため、伝導ノイズ量も大きくなり、他の電子機器への悪影響を及ぼすようになってしまう。そこで、上述したように、報知信号の受信時では、第１クロック信号を第２クロック信号に切り替えてＤＣ／ＤＣコンバータ１ｄに供給することにより、電源ラインに伝導ノイズは生じるが、その周波数を狭い範囲内に収めることができ、この周波数が他の電子機器にとって影響のない周波数帯になるようにＴＣＸＯ２のクロック値や分周数を設定しておけば、該伝導ノイズによって他の電子機器は悪影響を受けなくすることができる。
【００２９】
そして、制御ＩＣ４は、報知信号の受信処理が終了したか否かを判定し（ステップＳ１８）、報知信号の受信処理が終了した場合（「ＹＥＳ」）、待ち受け状態が継続されているか否かを判定する（ステップＳ１９）。つまり、他の処理（無線通信基地局との通信等）を行う必要があるか否かを判定し、待ち受け状態が継続されないと判定された場合（「ＮＯ」）、制御ＩＣ４は、ＤＣ／ＤＣコンバータ１ｄの動作周波数は第２動作クロック信号の周波数のままで他の処理を行う（ステップＳ２０）。一方、ステップＳ１９において、待ち受け状態が継続されると判定された場合（「ＹＥＳ」）、制御ＩＣ４は、ステップＳ１０の動作へ移行する。なお、受信休止期間中であっても、他の処理を行う必要があれば、制御ＩＣ４は即座にスリープ状態を解除し、ステップＳ１５、Ｓ１６の処理を行う。
【００３０】
上記実施形態においては、間欠受信時のスリープ期間と報知信号受信期間についての例のみを説明したが、当然ながら通信の発生については監視しておく必要がある。
つまり、報知信号の受信時のみに制御ＩＣ４やＲＦ無線通信部６やＴＣＸＯ２が動作状態（大消費電力状態）となるのではなく、当然ながらデータのダウンロードが生じたり、通信網側からの着呼要求を受信した場合なども制御ＩＣ４やＲＦ無線通信部６、それらのクロック供給を行うＴＣＸＯ２が動作されるため、電源ＩＣ１には第２クロック信号を供給することになる。また、このような通信の発生した場合には、この通信が終了して待ち受け状態に移行した後は、間欠受信に移行するタイミングのカウントがスタートし、ステップＳ９からの処理が再開することになる。
【００３１】
以上のように、本無線通信装置Ｍによれば、報知信号の受信時には、第２クロック信号によりＤＣ／ＤＣコンバータ１ｄを動作させることで、伝導ノイズによる他の電子機器への悪影響を抑え、また、報知信号の受信休止時には、第１クロック信号によりＤＣ／ＤＣコンバータ１ｄを動作させることで、伝導ノイズによる他の電子機器への悪影響を最小限に抑え、且つ消費電力を抑えることが可能である。また、フィルタ等の付加回路を設ける必要がないので、無線通信装置Ｍのコスト増加や大型化を防止することが可能である。
【００３２】
なお、本発明は、上記実施形態に限定されるものではなく、例えば以下のような変形例が考えられる。
【００３３】
（１）上記実施形態では、報知信号の受信休止時には、第１クロック信号によりＤＣ／ＤＣコンバータ１ｄを動作させていたが、これに限らず、無線通信装置Ｍ全体の消費電力の増加を招くことがなければ、第１クロック信号の代わりにタイマクロック発振器３が生成するタイマクロック信号をＤＣ／ＤＣコンバータ１ｄに供給しても良い。
【００３４】
（２）上記実施形態では、ＲＣ発振器１ａを用いて説明したが、これに限らず、低消費電力、低周波数精度を特徴とする発振器であれば他のものを使用しても良い。また、ＴＣＸＯ２に限らず、高周波数精度、高消費電力を特徴とする他の発振器を使用しても良い。
【００３５】
（３）上記実施形態では、他の電子機器の動作そのものに対する悪影響を防止すると記したが、本発明は、特に特定範囲への伝導ノイズの放射を抑えることができるため、特定の周波数帯域を受信する受信機を搭載している電子機器への悪影響を考慮することが容易になる。
まして、他の電子機器に複数の周波数帯の受信機が搭載されていた場合などにおいては、伝導ノイズの対策はよりシビアになり、特定の幅に収めなくてはならなくなるため、本発明は非常に有用である。
【００３６】
（４）上記実施形態では、外部電源から無線通信装置だけでなく他の電子機器にも給電される例で示したが、これに限定されるものではない。電源ラインの近傍に、特定周波数のノイズに弱い電子機器や受信機があれば、やはり伝導ノイズの発生は好まれるものではなく、電源ラインが長い場合などにおいては特に非常に有用となる。
【図面の簡単な説明】
【００３７】
【図１】本発明の一実施形態に係わる無線通信装置の構成ブロック図である。
【図２】本発明の一実施形態における無線通信装置の動作フローチャートである。
【符号の説明】
【００３８】
Ｍ…無線通信装置、１…電源ＩＣ、２…ＴＣＸＯ、３…タイマクロック発振器、４…制御ＩＣ、５…メモリ、６…ＲＦ無線通信部、７…アンテナ、１ａ…ＲＣ発振器、１ｂ…分周器、１ｃ…クロック信号切替部、１ｄ…ＤＣ／ＤＣコンバータ、１ｅ…第１バッファ、１ｆ…第２バッファ
【図１】
0004503512.tif 000002
【図２】
0004503512.tif 000003